(57)【特許請求の範囲】
【請求項１】
雄型管継手部材を受け入れる筒状壁と、
該筒状壁の外周面に取り外し可能に取り付けられて該筒状壁の周方向で延び、一部が該筒状壁を半径方向で貫通するように設けられた開口を通って延びて該筒状壁内に受け入れた雄型管継手部材と係合する状態で、該筒状壁の周囲で締め付けられて該雄型管継手部材を該筒状壁に対して固定するための金属製の締着用ベルトと、
を備える雌型管継手部材であって、
該筒状壁がその外周面に半径方向で突出する軸部と該軸部の先端の頭部とを有する取付用突起を備え、
該締着用ベルトが該筒状壁の該外周面に面する裏面から該裏面と反対側の表面に貫通する、該取付用突起を通すための取付用孔を有する取付用部と該取付用部の両側から延びて筒状本体の周方向に延びるよう設定される一対の締付用部とを備え、
該取付用部には、該取付用部の一側部に一定間隔をあけて設けられた第１係合部及び第２係合部にそれぞれ第１端部及び第２端部が係合することにより該取付用部に対して一定の位置とされた取付用ワイヤ部材が取り付けられ、該取付用ワイヤ部材は該第１端部から該取付用部に接するように延び該取付用孔の外側を通って該取付用部を横断し、折り返して該第２端部に至るようにされており、折り返して該第２端部に至る一部が該取付用孔を横切るように構成されているワイヤ部を有し、
該取付用突起が該締着用ベルトの該取付用孔内に通された状態において、該ワイヤ部の該一部は該軸部の一側面に係合されて該軸部の半径方向外側に変位されることにより該取付用ワイヤ部材が弾性変形されて該締着用ベルトを付勢し、該取付用孔の縁が該軸部の該一側面とは反対側から該取付用突起に押圧され、該取付用孔の該縁及び該ワイヤ部の該一部によって該取付用突起を挟着して該締着用ベルトの該取付用突起に対する軸線方向での保持がなされ、
該取付用ワイヤ部材は外力を加えることにより変形されて該ワイヤ部の該一部が該軸部の該一側面から該半径方向外側に変位して該軸線方向で見ての該頭部との重なる位置から重ならない位置に変位されることにより該締着用ベルトの該取付用突起に対する軸線方向での保持を解除できるようにされている雌型管継手部材。
【請求項２】
該締着用ベルトに取り付けられていない状態の該取付用ワイヤ部材の該第１端部と該第２端部との間の間隔が該第１係合部と該第２係合部との間の間隔より小さく、該第１端部及び該第２端部は、それらの間を拡げて該第１係合部及び該第２係合部に係合されている請求項１に記載の雌型管継手部材。
【請求項３】
該ワイヤ部が該第１係合部に係合された該第１端部から該表面に沿って延び該取付用孔の外側を通って該取付用部を横断し、折り返されて該第２端部に至る部分が、該締着用ベルトの該裏面に沿って延びるようにされている請求項１又は２に記載の雌型管継手部材。
【請求項４】
該取付用孔の該縁が、該頭部の側面に押圧されるようになされた請求項１乃至３のいずれか一項に記載の雌型管継手部材。
【請求項５】
該ワイヤ部は該第１端部から延びて折り返される部分で少なくとも一巻きのループ形状とされてから該第２端部に至るようにされている請求項１乃至４のいずれか一項に記載の雌型管継手部材。
【請求項６】
該取付用ワイヤ部材は、該ワイヤ部の該一部が該軸部の該一側面から該半径方向外側に変位するように、該第１係合部に係合された該第１端部を中心に回動可能とされている請求項１乃至５のいずれか一項に記載の雌型管継手部材。
【請求項７】
該取付用部が該第２係合部に連接して形成された端部案内部を有し、該端部案内部は該ワイヤ部の該一部が該軸部の該一側面から該半径方向外側に変位するように該取付用ワイヤ部材が回動されるときに、該第２端部を該第１端部から離れる方向で案内するように構成されている請求項６に記載の雌型管継手部材。
【請求項８】
該第２係合部と該端部案内部とは該第２端部を該第１端部に近づかないように係合する係合端部から第２係合部から離れる方向で延びる細長い孔として形成され、該取付用ワイヤ部材が回動されるときに、該第２端部を該第２係合部としての該係合端部から該細長い孔の縁に沿って該第１端部から離れる方向で案内するように構成されている請求項７に記載の雌型管継手部材。
【請求項９】
該取付用部は、該取付用孔の該一側部においてそれぞれ該第１係合部及び第２係合部から相互に反対方向に延びる第１延出部及び第２延出部を有し、
該第１端部及び該第２端部はそれぞれ該取付用ワイヤ部材の両端を折り曲げて形成され、折り曲げ部分を該第１係合部及び該第２係合部に係合して該取付用部を該表面及び該裏面から挟むように設定されようになされ、
該第１延出部及び該第２延出部は、該第１端部及び該第２端部がそれぞれ該第１係合部及び該第２係合部に係合された状態で、それぞれ該第１係合部及び該第２係合部を中心に該取付用部側に近づくように変形し、該取付用部との間に該第１端部及び該第２端部を保持する空間を形成し、該第２端部を保持する空間が該細長い孔を形成するようになされている請求項８に記載の雌型管継手部材。
【請求項１０】
請求項１乃至９のいずれか一項に記載の雌型管継手部材と、
該雌型管継手部材の該筒状壁に挿入されて連結される雄型管継手部材と
からなる管継手。
【発明の詳細な説明】
【技術分野】
【０００１】
本発明は例えば流動性食品用配管に適した管継手及びそれに用いられる雌型管継手部材に関する。
【背景技術】
【０００２】
食品製造業において飲料などの流動性食品を通す配管は雑菌が繁殖を生じやすいために、通常、各操業後に分解して洗浄を行う必要があり、そのために配管を分解しやくする必要がある。このため、そのような分解洗浄をし易くするための管継手が種々開発されてきている。
【０００３】
例えば、特開２０１４−１４２０１１（特許文献１）は、雄型管継手部材と、該雄型管継手部材に連結される雌型管継手であって、雄型管継手部材を受け入れる筒状壁と、該筒状壁の外周面に周方向で延びるように取り付けられ、一部が該筒状壁を半径方向で貫通するように設けられた開口を通って延びて該筒状壁内に受け入れた雄型管継手部材と係合した状態で、該筒状壁の周囲で締め付けられて該雄型管継手部材を該筒状壁に対して固定するための金属製の締着用ベルトとを有する雌型管継手部材を備える管継手が開示されている。この管継手においては、雄型管継手部材を雌型管継手部材に挿入し、筒状壁に回転可能に取り付けられた締着用具を締着用ベルトの両端に係合させて回動することにより当該締着用ベルトの締着・締着解除ができるようになっており、配管の分解・連結を簡単に行うことができ、従って上述した洗浄も容易に行うことができる。
【先行技術文献】
【特許文献】
【０００４】
【特許文献１】特開２０１４−１４２０１１
【発明の概要】
【発明が解決しようとする課題】
【０００５】
特許文献1に開示の管継手は配管の分解・連結を容易に行えるようにするという点では優れているが、十分な洗浄を行うためには、雌型管継手部材の筒状壁の周囲を取り巻くように取り付けられた締着用ベルトを筒状壁から外す必要があり、従って、該締着用ベルトの筒状壁に対する取付・取外も容易に行えるようにすることが望まれる。本発明は、より簡単に取付・取外の行える締着用ベルトを備えた雌型管継手及びそれを備えた管継手を提供することを目的としている。
【課題を解決するための手段】
【０００６】
すなわち、本発明は
雄型管継手部材を受け入れる筒状壁と、
該筒状壁の外周面に取り外し可能に取り付けられて該筒状壁の周方向で延び、一部が該筒状壁を半径方向で貫通するように設けられた開口を通って延びて該筒状壁内に受け入れた雄型管継手部材と係合する状態で、該筒状壁の周囲で締め付けられて該雄型管継手部材を該筒状壁に対して固定するための金属製の締着用ベルトと、
を備える雌型管継手部材であって、
該筒状壁がその外周面に半径方向で突出する軸部と該軸部の先端の頭部とを有する取付用突起を備え、
該締着用ベルトが該筒状壁の該外周面に面する裏面から該裏面と反対側の表面に貫通する、該取付用突起を通すための取付用孔を有する取付用部と該取付用部の両側から延びて筒状本体の周方向に延びるよう設定される一対の締付用部とを備え、
該取付用部には、該取付用部の一側部に一定間隔をあけて設けられた第１係合部及び第２係合部にそれぞれ第１端部及び第２端部が係合することにより該取付用部に対して一定の位置とされた取付用ワイヤ部材が取り付けられ、該取付用ワイヤ部材は該第１端部から該取付用部に接するように延び該取付用孔の外側を通って該取付用部を横断し、折り返して該第２端部に至るようにされており、折り返して該第２端部に至る一部が該取付用孔を横切るように構成されているワイヤ部を有し、
該取付用突起が該締着用ベルトの該取付用孔内に通された状態において、該ワイヤ部の該一部は該軸部の一側面に係合されて該軸部の半径方向外側に変位されることにより該取付用ワイヤ部材が弾性変形されて該締着用ベルトを付勢し、該取付用孔の縁が該軸部の該一側面とは反対側から該取付用突起に押圧され、該取付用孔の該縁及び該ワイヤ部の該一部によって該取付用突起を挟着して該締着用ベルトの該取付用突起に対する軸線方向での保持がなされ、
該取付用ワイヤ部材は外力を加えることにより変形されて該ワイヤ部の該一部が該軸部の該一側面から該半径方向外側に変位して該軸線方向で見ての該頭部との重なる位置から重ならない位置に変位されることにより該締着用ベルトの該取付用突起に対する軸線方向での保持を解除できるようにされている雌型管継手部材
を提供する。
【０００７】
この雌型管継手部材においては、作業者が取付用ワイヤ部材に力を加え変形させることにより締着用ベルトの取り外しが可能となり、また、締着用ベルトの取付用孔を筒状壁の取付用突起に嵌合させることにより締着用ベルトの取付ができるので、当該締着用ベルトの取付・取外が容易に行うことが可能となる。
【０００８】
具体的には、
該締着用ベルトに取り付けられていない状態の該取付用ワイヤ部材の該第１端部と該第２端部との間の間隔が該第１係合部と該第２係合部との間の間隔より小さく、該第１端部及び該第２端部は、それらの間を拡げて該第１係合部及び該第２係合部に係合されるようにすることができる。
また、該ワイヤ部が該第１係合部に係合された該第１端部から該表面に沿って延び該取付用孔の外側を通って該取付用部を横断し、折り返されて該第２端部に至る部分が、該締着用ベルトの該裏面に沿って延びるようにすることができる。
このようにすることにより、第１端部と第２端部による締着用ベルトの取付がしっかりしたものとなり、締着用ベルトに対する当該取付用ワイヤ部材の取付を安定的なものとすることを可能とする。
【０００９】
また、該取付用孔の該縁が、該頭部の側面に押圧されるように構成することが出来る。このようにすることにより、該ワイヤ部の該一部をそれが係合している軸部側面から離すようにすることにより、当該締着用ベルトをより容易に筒状壁から外すことを可能とする。
【００１０】
該ワイヤ部は該第１端部から延びて折り返される部分で少なくとも一巻きのループ形状とされてから該第２端部に至るように構成することが出来る。ループ形状を設けることにより当該取付用ワイヤ部材の可撓性を高め作業者がより容易に取付用ワイヤ部材を変形して当該締着用ベルトを筒状壁から取り外せるようにすることを可能とする。
【００１１】
また、該取付用ワイヤ部材は、該ワイヤ部の該一部が該軸部の該一側面から該半径方向外側に変位するように、該第１係合部に係合された該第１端部を中心に回動可能とすることが出来る。
この場合、該取付用部が該第２係合部に連接して形成された端部案内部を有し、該端部案内部は該ワイヤ部の該一部が該軸部の該一側面から該半径方向外側に変位するように該取付用ワイヤ部材が回動されるときに、該第２端部を該第１端部から離れる方向で案内するように構成することができる。
この場合、該第２係合部と該端部案内部とは該第２端部を該第１端部に近づかないように係合する係合端部から第２係合部から離れる方向で延びる細長い孔として形成され、該取付用ワイヤ部材が回動されるときに、該第２端部を該第２係合部としての該係合端部から該細長い孔の縁に沿って該第１端部から離れる方向で案内するように構成することができる。
このようにすることにより作業者が取付用ワイヤ部材に力を加えたときに、該ワイヤ部の該一部がより容易に取付用突起の軸部から離れるように変形することを可能とする。
【００１２】
更にこの場合、
該取付用部は、該取付用孔の該一側部においてそれぞれ該第１係合部及び第２係合部から相互に反対方向に延びる第１延出部及び第２延出部を有し、
該第１端部及び該第２端部はそれぞれ該取付用ワイヤ部材の両端を折り曲げて形成され、折り曲げ部分を該第１係合部及び該第２係合部に係合して該取付用部を該表面及び該裏面から挟むように設定されようになされ、
該第１延出部及び該第２延出部は、該第１端部及び該第２端部がそれぞれ該第１係合部及び該第２係合部に係合された状態で、それぞれ該第１係合部及び該第２係合部を中心に該取付用部側に近づくように変形し、該取付用部との間に該第１端部及び該第２端部を保持する空間を形成し、該第２端部を保持する空間が該細長い孔を形成するようにすることができる。
上記のような第１延出部及び第２延出部を設けて、これを変形することにより取付用ワイヤ部材の第１端部及び第２端部を保持するための空間を作るようにしているので、そのような空間を締着用ベルトに予め穴として設けた場合に較べて、第１端部及び第２端部の第１係合部及び第２係合部への係合を容易に行うことが可能となる。
【００１３】
本発明はまた、
雌型管継手部材と、
該雌型管継手部材の該筒状壁に挿入されて連結される雄型管継手部材と
からなる管継手を提供する。
【００１４】
以下、本発明に係る雌型管継手部材及びそれを備える管継手に関し、添付図面に基づき説明する。
【図面の簡単な説明】
【００１５】
【図１】図1は本発明に係る管継手の雌型管継手部材及び雄型管継手部材が連結されていない状態を示す平面図である。
【図２】図２は図１のII線断面図である。
【図３】図３は図１の雌型管継手部材及び雄型管継手部材が連結された状態を示す平面図である。
【図４】図４は図３のIV-IV線断面図である。
【図５】図５は図１の雌型管継手部材の筒状壁を示す斜視図である。
【図６】図６は図１の雌型管継手部材の筒状壁の底部の取付用突起、該取付用突起に取り付けられた締着用ベルト及びその取付を行うための取付用ワイヤ部材の関係を示すための拡大図である。
【図７】図７は雌型管継手部材の筒状壁の底部の取付用突起に取り付けられた締着用ベルトを示す図である。
【図８】図８は取付用ワイヤ部材が締着用ベルトに取り付けられていない状態を示す図である。
【発明を実施するための形態】
【００１６】
図１乃至図５に示すように、本発明に係る管継手１０は、雄型管継手部材１２と、該雄型管継手部材１２を受け入れる筒状壁１４及び該筒状壁１４の（図で見て）底部１４ａの取付用突起１４ｄに取り付けられて該筒状壁１４の周方向に延びるように設けられた金属製の締着用ベルト１６からなる雌型管継手部材１８とを有する。筒状壁１４は、図５に明示するように、左右側部に細長い開口２０を有しており、締着用ベルト１６は取付用突起１４ｄから開口２０に沿って筒状壁１４の頂部１４ｂまで延びており、該頂部１４ｂに設けられた突起１４ｃに回動可能に取り付けられた回転締着部材２２を図１の位置から図３の位置に時計方向に回動することにより締着用ベルト１６の両端部１６ａが該回転締着部材２２のアーム２２ａに係合されて相互に引き寄せられて筒状壁１４の周りで締着され、その一部が開口２０を通して、筒状壁１４内に挿入されている雄型管継手部材１２の係合部１２ａに係合して、雄型管継手部材１２を雌型管継手部材１８に連結固定するようになっている。
【００１７】
締着用ベルト１６は、筒状壁１４の底部１４ａに位置する取付用部１６ｂ及びその両側から筒状壁１４の頂部１４ｂに延びる一対の締着用部１６ｃを有している(図６参照)。取付用部１６ｂには、筒状壁１４の底部１４ａに設けられた取付用突起１４ｄを通す取付用孔１６ｄが設けられており、取付用孔１６ｄに取付用突起１４ｄを通すことにより、取付用部１６ｂに装着されている取付用ワイヤ部材２６が取付用突起１４ｄに係合して、当該締着用ベルト１６が取付用突起１４ｄから外れないようにされている。図示の例では、筒状壁１４の細長い開口２０の中央位置には、該開口２０の外側で横断方向に延び締着用ベルト１６の締着用部１６ｃを外側から保持する保持部１４ｈが設けられている。
【００１８】
取付用ワイヤ部材２６は、その第１端部２６ａ及び第２端部２６ｂがそれぞれ折り曲げられてその折り曲げ部分２６ｇ，２６ｈが締着用ベルト１６の取付用部１６ｂの一側部に間隔をあけて設けられた第１係合部１６ｅ及び第２係合部１６ｆにそれぞれ係合されている。取付用ワイヤ部材２６は、第１端部２６ａから取付用部１６ｂの表面に接するように延び取付用孔１６ｄの外側を通って取付用部１６ｂを横断し、折り返して取付用部１６ｂの裏面に接するように延びて第２端部２６ｂに至るワイヤ部２６ｅを備えており、折り返し部分には一巻きのループ部２６ｃが形成され、ループ部２６ｃから第２端部２６ｂに至るワイヤ部２６ｅの一部２６ｆが取付用孔１６ｄを横切るように構成されている。図８に示すように締着用ベルト１６に取り付けられていない状態の取付用ワイヤ部材２６の第１端部２６ａと第２端部２６ｂ（正確には折り曲げ部分２６ｇと折り曲げ部分２６ｈ）との間の間隔は、第１係合部１６ｅと第２係合部１６ｆとの間の間隔より小さく、第１端部２６ａ及び第２端部２６ｂは、それらの間を拡げて第１係合部１６ｅ及び第２係合部１６ｆに係合されている。
【００１９】
取付用突起１４ｄは短い円柱状の軸部１４ｅと軸部１４ｅより外側に延びる一対の係止部１４ｆを備える頭部１４ｇとを有する。締着用ベルト１６をその締着用部１６ｃが筒状壁１４の周方向に配置されるようにしながら取付用部１６ｂの取付用孔１６ｄを取付用突起１４ｄに嵌合させると、取付用突起１４ｄの軸部１４ｅがワイヤ部２６ｅの一部２６ｆに係合して軸部１４ｅの半径方向外側（図６で見て右方）に変位させ、それにより取付用ワイヤ部材２６は弾性変形され、その変形による弾性付勢力が取付用ワイヤ部材２６の第１端部２６ａを介して締着用ベルト１６の第１係合部１６ｅに図６で見て右方に作用し、取付用孔１６ｄの縁１６ｇが図６で見て右側から頭部１４ｇの側面に押圧され、それにより取付用孔１６ｄの縁１６ｇ及びワイヤ部２６ｅの一部２６ｆによって取付用突起１４ｄを挟着して締着用ベルト１６が取付用突起１４ｄから外れないようにされている。
【００２０】
このようにされた取付用ワイヤ部材２６は作業者がループ部２６ｃに図７にＦで示すように右方への外力を加えることにより変形されてワイヤ部２６ｅの一部２６ｆが軸部１４ｅの側面から半径方向外側に変位して軸線方向で見ての頭部１４ｇ（具体的には頭部１４ｇの係止部１４ｆ）との重なる位置から重ならない位置に変位されることにより締着用ベルト１６の取付用突起１４ｄに対する軸線方向での保持を解除できるようにされている。このときの取付用ワイヤ部材２６は、上記外力Ｆにより第１係合部１６ｅを中心にした回動を起こすような作用を受けて変形を生じるが、図７に示すように、第２係合部１６ｆからは傾斜した端部案内部１６ｈが設けられており、取付用ワイヤ部材２６が上記外力を受けると第２端部２６ｂが第１端部２６ａから離れる方向に案内されるようになっている。
【００２１】
図示の例では、取付用部１６ｂはその一側部から相互に反対方向に延びて取付用部１６ｂの縁１６ｉとの間に細長い空間を形成する第１延出部１６ｊ及び第２延出部１６ｋを有し、第１延出部１６ｊ及び第２延出部１６ｋの根本部分にそれぞれ第１係合部１６ｅ及び第２係合部１６ｆが形成され、第２延出部１６ｋの縁が端部案内部１６ｈを構成するようにされている。好ましくは、製作に当たって、図６に示すように、第１延出部１６ｊ及び第２延出部１６ｋは初めは一点鎖線で示すような大きな角度とされ、取付用ワイヤ部材２６の第１端部２６ａ及び第２端部２６ｂをそれぞれ第１係合部１６ｅ及び第２係合部１６ｆに係合された状態で、それぞれ第１係合部１６ｅ及び第２係合部１６ｆを中心に取付用部１６ｂの縁１６ｉ，１６ｉに近づくように変形し、取付用部１６ｂの縁１６ｉ，１６ｉとの間に第１端部２６ａ及び第２端部２６ｂを保持する空間を形成するようにする。
【００２２】
以上、本発明に係る管継手及びその雌型管継手部材の実施形態を説明したが、本発明はこれに限定されるものではない。例えば、端部案内部１６ｈは取付用ワイヤ部材２６に外力が加えられた場合に当該取付用ワイヤ部材２６の変形を生じやすくするものであるが、必ずしもこれを設ける必要は無い。例えばループ部２６ｃにより当該取付用ワイヤ部材２６を変形しやすいものとし、第２係合部１６ｅ、１６ｆを取付用部１６ｂに設けた単なる穴として、該穴に第２端部２６ｂを嵌着させ、図７に示す如き外力Ｆが加わった場合に、第１端部２６ａ及び第２端部２６ｂがそれぞれ第１係合部１６ｅ及び第２係合部１６ｆにおいて回動して、取付用突起の軸部１４ｅに係合しているワイヤ部材２６が該軸部から離れるようにすることもできる。
【符号の説明】
【００２３】
管継手１０；雄型管継手部材１２；係合部１２ａ；筒状壁１４；底部１４ａ；頂部１４ｂ；突起１４ｃ；取付用突起１４ｄ；軸部１４ｅ；係止部１４ｆ；頭部１４ｇ；締着用ベルト１６；両端部１６ａ；取付用部１６ｂ；締着用部１６ｃ；取付用孔１６ｄ；第１係合部１６ｅ；第２係合部１６ｆ；縁１６ｇ；端部案内部１６ｈ；取付用部の縁１６ｉ；第１延出部１６ｊ；第２延出部１６ｋ；雌型管継手部材１８；開口２０；回転締着部材２２；アーム２２ａ；取付用ワイヤ部材２６；第１端部２６ａ；第２端部２６ｂ；ループ部２６ｃ；ワイヤ部２６ｅ；一部２６ｆ；折り曲げ部分２６ｇ，２６ｈ
【図１】
0006044998.tif 000002
【図２】
0006044998.tif 000003
【図３】
0006044998.tif 000004
【図４】
0006044998.tif 000005
【図５】
0006044998.tif 000006
【図６】
0006044998.tif 000007
【図７】
0006044998.tif 000008
【図８】
0006044998.tif 000009